(57)【要約】      （修正有）【課題】梱包具において、紙バンドと留め具による梱包物の締め付け結束性を向上する。【解決手段】梱包物Ｐに巻き付けた紙バンド１の両端のそれぞれを留め具１０に係止し、この紙バンド１により梱包物Ｐを締め付け結束する梱包具において、紙バンド１は、滑剤が少なくとも表面に付されたものであるもの。【選択図】図３
0003141859.tif 000002
【実用新案登録請求の範囲】
【請求項１】
梱包物に巻き付けた紙バンドの両端のそれぞれを留め具に係止し、この紙バンドにより梱包物を締め付け結束する梱包具において、
留め具は、
枠体の中央部に設けられる通し孔と、枠体の一側部に設けられる第１の係止孔と、枠体の他側部に設けられる第２の係止孔を、枠体に並列配置し、
枠体の第１の係止孔と通し孔とに挟まれる部分を第１の巻掛部とし、枠体の第２の係止孔と通し孔とに挟まれる部分を第２の巻掛部とする留め具であって、
紙バンドの両端のそれぞれが枠体の下面側から通し孔に挿通されて上面側に繰り出し可能にされ、
紙バンドの通し孔から繰り出されて第１の巻掛部に巻掛られた一端が枠体の上面側から第１の係止孔に挿通されて下面側に繰り出し可能にされ、
紙バンドの通し孔から繰り出されて第２の巻掛部に巻掛られた他端が枠体の上面側から第２の係止孔に挿通されて下面側に繰り出し可能にされるものであり、
紙バンドは、滑剤が少なくとも表面に付されたものである梱包具。
【請求項２】
前記紙バンドが平帯状をなす請求項１に記載の梱包具。
【請求項３】
前記通し孔が紙バンドの両端挿通用として共用される唯１個の通し孔からなる請求項１又は２に記載の梱包具。
【請求項４】
前記枠体が厚紙からなる請求項１〜３のいずれかに記載の梱包具。
【請求項５】
滑剤が少なくとも表面に付された紙バンド。
【考案の詳細な説明】
【技術分野】
【０００１】
本考案は梱包具に関する。
【背景技術】
【０００２】
紙バンドと留め具を用いて梱包物を結束するための梱包具として、特許文献１に記載のものがある。この梱包具において、留め具は、合成樹脂製留め具の四辺形枠体に左右の長孔、中間部の長孔、右側の大きい孔、該枠体から右側の大きい孔の側傍に張り出されて片持ち支持されるI字形ストッパを有する。使用方法は、紙バンドの一端を中間部の長孔に通し、その先端を左側の長孔に通して締め付けておく。次いで、この紙バンドを梱包物に巻き付けてその他端を右側の大きい孔にループ状に差し込み、そのループ状空間内にI字形ストッパをその基部から折り曲げて差し込み、該他端をＩ字形ストッパに巻掛け引っ張って係止し、梱包物の締め付け結束を完了する。
【特許文献１】意匠登録1090277
【考案の開示】
【考案が解決しようとする課題】
【０００３】
特許文献１に記載の梱包具には以下の問題点がある。
(1)紙バンドをＩ字形ストッパに巻掛け引っ張るときの摩擦抵抗が大きく、紙バンドと留め具による梱包物の締め付け作業性が悪い。
【０００４】
(2)留め具が四辺形枠体の外に張り出されて片持ち支持されるＩ字形ストッパを有し、構造複雑になる。また、留め具は、このＩ字形ストッパをその基部から折り曲げて使用するものであり、強度的に紙製にすることも困難がある。
【０００５】
(3)紙バンドの他端を留め具に係止する作業が、該他端を右側の大きい孔にループ状に差し込み、そのループ状を維持しながら、そのループ状空間内にＩ字形ストッパをその基部から折り曲げて差し込み、該他端を引っ張ってＩ字形ストッパに巻掛け係止するものになる。紙バンドの係止作業性が非常に悪い。
【０００６】
(4)梱包物の締め付け結束により紙バンドに作用する結束張力は、紙バンドが巻掛け係止されるＩ字形ストッパにより担持される。ところが、Ｉ字形ストッパは枠体に片持ち支持されるに過ぎず、紙バンドに作用する結束張力の担持能力は低く、留め具が同一材料からなるときに保証できる紙バンドの結束強度は低い。
【０００７】
(5)留め具は梱包物の結束を完了したとき、梱包物の上面に配置される。このとき、留め具の梱包物の上面に対する最大高さは、枠体の板厚に、該枠体の上に折り曲げられたＩ字形ストッパの板厚を加えた高さになる。留め具の使用高さが徒らに大きくなる。
【０００８】
本考案の課題は、梱包具において、紙バンドと留め具による梱包物の締め付け結束性を向上することにある。
【課題を解決するための手段】
【０００９】
請求項１の考案は、梱包物に巻き付けた紙バンドの両端のそれぞれを留め具に係止し、この紙バンドにより梱包物を締め付け結束する梱包具において、留め具は、枠体の中央部に設けられる通し孔と、枠体の一側部に設けられる第１の係止孔と、枠体の他側部に設けられる第２の係止孔を、枠体に並列配置し、枠体の第１の係止孔と通し孔とに挟まれる部分を第１の巻掛部とし、枠体の第２の係止孔と通し孔とに挟まれる部分を第２の巻掛部とする留め具であって、紙バンドの両端のそれぞれが枠体の下面側から通し孔に挿通されて上面側に繰り出し可能にされ、紙バンドの通し孔から繰り出されて第１の巻掛部に巻掛られた一端が枠体の上面側から第１の係止孔に挿通されて下面側に繰り出し可能にされ、紙バンドの通し孔から繰り出されて第２の巻掛部に巻掛られた他端が枠体の上面側から第２の係止孔に挿通されて下面側に繰り出し可能にされるものであり、紙バンドは、滑剤が少なくとも表面に付されたものである。
【００１０】
請求項２の考案は、請求項１の考案において更に、前記紙バンドが平帯状をなすようにしたものである。
【００１１】
請求項３の考案は、請求項１又は２の考案において更に、前記通し孔が紙バンドの両端挿通用として共用される唯１個の通し孔からなるようにしたものである。
【００１２】
請求項４の考案は、請求項１〜３のいずれかの考案において更に、前記枠体が厚紙からなるようにしたものである。
【００１３】
請求項５の考案は、滑剤が少なくとも表面に付された紙バンドである。
【考案の効果】
【００１４】
（請求項１）
(a)紙バンドの表面に滑剤が付された。従って、紙バンドを留め具の通し孔と係止孔に通して巻掛部に巻掛け引っ張るときの摩擦抵抗が小さくなり、紙バンドはたるみのない緊張状態で巻掛部に隙間なく滑らかに巻掛けられ、紙バンドと留め具による梱包物の締め付け作業性を向上できる。
【００１５】
梱包物を締め付け結束した紙バンドは、枠体の巻掛部における通し孔の入口と出口のそれぞれに臨む縁部と、枠体における係止孔の出口に臨む縁部の各係止点に対し、隙間なく強い係止力で係止する。従って、紙バンドの表面に滑剤が付されていても、紙バンドはそれら各係止点に非常に強く係止してゆるみを生ずることもない。
【００１６】
(b)留め具が枠体の内部に通し孔と第１の係止孔と第２の係止孔を孔加工するだけの単純な構造からなる。留め具は枠体だけからなるものであり、強度的に紙製とすることも容易である。
【００１７】
(c)紙バンドの一端を枠体の通し孔と第１の係止孔に順に挿通して留め具に係止し、紙バンドの他端を枠体の通し孔と第２の係止孔に順に挿通して留め具に係止するだけで、梱包物の締め付け結束を完了できる。紙バンドの係止作業性は非常に簡便である。
【００１８】
(d)梱包物の締め付け結束により紙バンドの一端に作用する結束張力は、紙バンドの一端が巻掛け係止される第１の巻掛部により担持される。紙バンドの他端に作用する結束張力は、紙バンドの他端が巻掛け係止される第２の巻掛部により担持される。第１の巻掛部と第２の巻掛部は枠体に両持ち支持されるものであり、紙バンドに作用する結束張力の担持能力は高く、留め具が保証できる紙バンドの結束強度は高い。
【００１９】
(e)留め具は梱包物の結束を完了したとき、梱包物の上面に配置される。このとき、留め具の梱包物の上面に対する最大高さは、枠体の板厚だけである。留め具の使用高さを小さくし、梱包物をコンパクトに結束できる。
【００２０】
（請求項２）
(f)古新聞等を梱包した紙バンドに手指を差し入れてこれを運搬するとき、紙バンドが平帯状をなすから、該紙バンドが手指に食い込みにくく、手指に痛みを与えにくい。
【００２１】
平帯状の紙バンドは留め具の巻掛部等との接触面積が大きいものの、その表面の滑剤の存在により上述(a)の摩擦抵抗を小さくし、梱包物の締め付け作業性を損なうことがない。
【００２２】
（請求項３）
(g)留め具の通し孔は、紙バンドの一端挿通用の第１の挿し孔と他端挿通用の第２の挿し孔の２個の通し孔からなるものとすることもできるが、紙バンドの両端挿通用として共用される唯１個の通し孔からなるものにすることにより、留め具の構造を一層単純化できる。
【００２３】
（請求項４）
(h)留め具が単純な構造になるから、前述(b)の如くに紙製とすることができる。留め具の枠体を厚紙からなるものとすることにより、留め具を再資源化できる。
【００２４】
（請求項５）
(i)紙バンドの表面に滑剤が付されることにより、紙バンドを留め具に通すときの摩擦抵抗を小さくし、紙バンドと留め具による梱包物の締め付け作業性を向上できる。
【考案を実施するための最良の形態】
【００２５】
図１は紙バンドの製作手順を示す模式図、図２は留め具を示す模式図、図３は留め具による紙バンドの締め付け結束方法を示す模式図、図４は留め具による紙バンドの結束解除方法を示す模式図、図５は留め具による紙バンドの締め付け結束方法の変形例を示す模式図、図６は留め具の変形例を示す模式図、図７は留め具の変形例を示す模式図である。
【実施例】
【００２６】
本実施例の梱包具１００は、図１に示す紙バンド１と、図２に示す留め具１０からなるものであり、梱包物Ｐに巻き付けた紙バンド１の両端１Ａ、１Ｂのそれぞれを留め具１０に係止し、この紙バンド１により梱包物Ｐを締め付け結束するものである。以下、紙バンド１と留め具１０のそれぞれについて説明する。
【００２７】
(A)紙バンド１（図１）
紙バンド１は少なくとも表面に滑剤２が付されたものである。本実施例の紙バンド１は、例えば再生紙からなる長尺テープ状紙シートをその幅方向で折り重ね、その横断面が扁平状（平紐）を呈する。但し、本考案の実施において、紙バンド１はその横断面が丸棒状（丸紐）等を呈するものでも良い。
【００２８】
紙バンド１は、例えば以下の手順で製作される（図１）。
(1)図１（Ａ）に示す広幅紙シート（例えば全幅Ｌ＝150mm）の左右両縁部から左右1／4幅部ａ（幅Ｌ／4）を中央幅部ｂ（幅Ｌ／2）の上に折りたたみ、図１（Ｂ）に示す左右対称断面をなす第１折りたたみシートを得る。
【００２９】
(2)第１折りたたみシートの左右両縁部から左右1／8幅部ｃ（幅Ｌ／8）を中央幅部ｄ（幅Ｌ／4）の上に折りたたみ、図１（Ｃ）に示す左右対称断面をなす第２折りたたみシートを得る。
【００３０】
(3)第２折りたたみシートの中央幅部ｄを２つ折りし、左右1／8幅部ｃ同士を互いに重ね合わせ、図１（Ｄ）に示す紙バンド１を得る。紙バンド１は上述(1)の広幅紙シートの全幅Ｌの概ね1／8幅（15mm）、全８層のシート積層体をなす。
【００３１】
(4)紙バンド１の表面に滑剤２を塗布するとともに、この紙バンド１をプレス手段によりプレスし、紙バンド１の横断面を扁平化する（図１（Ｅ））。この紙バンド１を紙管に巻き取る。尚、紙バンド１の一側表面にだけ滑剤２を塗布してプレスし、この紙バンド１を紙管に巻き取るときに、紙バンド１の上記一側表面の滑剤２をその反対側表面に転写することもできる。
【００３２】
紙バンド１は、上述(1)〜(4)により製作され、全８層のシート積層体をなすことにより、高い引張強度を得ることができる。また、紙バンド１は、上述(1)、(2)において左右対称断面をなすように折りたたまれるから、折り機の折りたたみ速度を高速化でき、折りたたみ形状の型崩れを生じにくい。
【００３３】
紙バンド１の表面に塗布される滑剤２としては、ポリオレフィン系（ポリエチレン系等）、パラフィン系、ワックス系、シリコーン系、アルキルケテンダイマー系、フッ素系、脂肪酸系、脂肪酸エステル系及び脂肪酸金属塩系等の化合物を挙げることができ、例えば
商品名「スライダーＫＳ」（株式会社森川商店）を採用できる。
【００３４】
尚、紙バンド１の素材は再生紙に限らない。紙バンド１の表面に感温型接着剤を塗布しても良い。紙バンド１はシート積層体の横断面内に、板紙、平紐、麻紐等の芯材を挟み込みできる。
【００３５】
(B)留め具１０（図２、図３）
留め具１０は、図２に示す如く、合紙等の厚紙からなる矩形状の枠体１０Ａの中央部に設けられる長孔状の通し孔１１と、枠体１０Ａの一側に設けられる長孔状の第１の係止孔１２Ａと、枠体１０Ａの他側に設けられる長孔状の第２の係止孔１２Ｂを、互いに平行な３列をなすように枠体１０Ａに並列配置している。そして、留め具１０は、枠体１０Ａの通し孔１１と第１の係止孔１２Ａとに挟まれる部分を四角断面棒状の第１の巻掛部１３Ａとし、枠体１０Ａの通し孔１１と第２の係止孔１２Ｂとに挟まれる部分を四角断面棒状の第２の巻掛部１３Ｂとする。留め具１０は、厚紙素材をポンチとダイスにより打抜くプレス加工により、枠体１０Ａの外郭を打抜き、同時に通し孔１１と係止孔１２Ａ、１２Ｂを打抜いて製作できる。
【００３６】
留め具１０は、図３に示す如く、梱包物Ｐに巻き付けた平帯状の紙バンド１の両端１Ａ、１Ｂのそれぞれが枠体１０Ａの下面側から通し孔１１に挿通されて上面側に繰り出し可能とされ、紙バンド１の通し孔１１から繰り出されて第１の巻掛部１３Ａに巻掛られた一端１Ａが枠体１０Ａの上面側から第１の係止孔１２Ａに挿通されて下面側に繰り出し可能にされ、紙バンド１の通し孔１１から繰り出されて第２の巻掛部１３Ｂに巻掛られた他端１Ｂが枠体１０Ａの上面側から第２の係止孔１２Ｂに挿通されて下面側に繰り出し可能にされる。このとき、留め具１０は、紙バンド１の両端１Ａ、１Ｂの挿通用として共用される唯１個の通し孔１１を枠体１０Ａに備える。
【００３７】
従って、梱包具１００の使用手順は以下の如くになる（図３）。
(1)梱包物Ｐに巻き付けられる紙バンド１の一端１Ａを枠体１０Ａの下面側から通し孔１１に挿通して上面側に繰り出し、この一端１Ａを第１の巻掛部１３Ａに巻掛け、更に枠体１０Ａの上面側から第１の係止孔１２Ａに挿通して下面側に繰り出しておく（図３（Ａ））。
【００３８】
(2)上述(1)の紙バンド１を梱包物Ｐに巻き付けてその他端１Ｂを枠体１０Ａの下面側から通し孔１１に挿通して上面側に繰り出し、この他端１Ｂを第２の巻掛部１３Ｂに巻掛け、更に枠体１０Ａの上面側から第２の係止孔１２Ｂに挿通して下面側に繰り出す（図３（Ｂ））。
【００３９】
(3)上述(2)の紙バンド１の他端１Ｂ（一端１Ａでも可）を引っ張り、この他端１Ｂを枠体１０Ａの通し孔１１、第２の巻掛部１３Ｂ、第２の係止孔１２Ｂから一層繰り出し、紙バンド１を張力Ｔで梱包物Ｐに引き締める。このとき、留め具１０の枠体１０Ａは紙バンド１の両端１Ａ、１Ｂを梱包物Ｐの上面との間に挟んで梱包物Ｐの上面に引き寄せ配置される。これにより、紙バンド１の通し孔１１に挿通された一端１Ａは、張力Ｔで第１の巻掛部１３Ａの上下面側角エッジａ、ｂに強く押し当て係止されて巻掛けられ、かつ第１の係止孔１２Ａの下面側角エッジｃに押し当て係止されて巻掛けられ、第１の巻掛部１３Ａにゆるみなく巻掛け係止保持される（図３（Ｃ）、（Ｄ））。また、紙バンド１の通し孔１１に挿通された他端１Ｂも、張力Ｔで第２の巻掛部１３Ｂの上下面側角エッジａ、ｂに強く押し当て係止されて巻掛けられ、かつ第２の係止孔１２Ｂの下面側角エッジｃに押し当て係止されて巻掛けられ、第２の巻掛部１３Ｂにゆるみなく巻掛け係止保持され、結果として紙バンド１による梱包物Ｐの締め付け結束を強固に完了する（図３（Ｃ）、（Ｄ））。
【００４０】
梱包物Ｐに締め付けた紙バンド１の結束を解除するときには、図４に示す如く、留め具１０を梱包物Ｐの上面に対して斜めに傾け、或いは上方に持ち上げることにより、紙バンド１の一端１Ａと第１の巻掛部１３Ａの上下面側角エッジａ、ｂ、第１の係止孔１２Ａの下面側角エッジｃとの押し当て係止状態を解き、かつ紙バンド１の他端１Ｂと第２の巻掛部１３Ｂの上下面側角エッジａ、ｂ、第２の係止孔１２Ｂの下面側角エッジｃとの押し当て係止状態を解く。これにより、紙バンド１の両端１Ａ、１Ｂは第１の巻掛部１３Ａ、第２の巻掛部１３Ｂとの図４（Ａ）に示す巻掛け係止状態を解かれ、紙バンド１は図４（Ｂ）に示す如くにたるんで梱包物Ｐに対する締め付けを解除できる。
【００４１】
尚、上述(3)の後、上述(1)で第１の係止孔１２Ａから繰り出してある紙バンド１の一端１Ａを、図５に示す如く、枠体１０Ａの上面側に巻掛けて枠体１０Ａの上面側から第２の係止孔１２Ｂに挿通して下面側に繰り出しても良い。これによれば、紙バンド１による梱包物Ｐの締め付け結束を一層強固に完了できる。
【００４２】
紙バンド１の帯幅を例えば15mm、帯厚を例えば0.8mmとするとき、留め具１０の諸元は例えば以下の通りとする。枠体１０Ａの横長さ（各孔１１、１２Ａ、１２Ｂの並列方向を横とし、各孔１１、１２Ａ、１２Ｂの長手方向を縦とする）41mm、縦長さ28mm、孔１１、１２Ａ、１２Ｂの孔長さ16mm（長孔のストレート部11mm、両側アール部各2.5mm）、孔１１、１２Ａ、１２Ｂの孔幅5mm、巻掛部１３Ａ、１３Ｂの幅8mm。
【００４３】
図２の留め具１０は、通し孔１１と係止孔１２Ａ、１２Ｂの孔幅を互いに同一にした。但し、図６に示す如く、通し孔１１の孔幅を係止孔１２Ａ、１２Ｂの孔幅より広幅にしても良く、例えば通し孔１１の孔幅8mm、係止孔１２Ａ、１２Ｂの孔幅5mmとすることができる。
【００４４】
図７の留め具１０は、枠体１０Ａの中央部に設ける通し孔１１を、紙バンド１の一端１Ａ挿通用の第１の通し孔１１Ａと、他端１Ｂ挿通用の第２の通し孔１１Ｂの２個からなるものにした（図７（Ａ））。この留め具１０にあっては、図７（Ｂ）に示す如く、紙バンド１の一端１Ａが枠体１０Ａの下面側から第１の通し孔１１Ａに挿通されて上面側に繰り出し可能にされ、紙バンド１の通し孔１１Ａから繰り出されて第１の巻掛部１３Ａに巻掛られた一端１Ａが枠体１０Ａの上面側から第１の係止孔１２Ａに挿通されて下面側に繰り出し可能にされる。また、紙バンド１の他端１Ｂが枠体１０Ａの下面側から第２の通し孔１１Ｂに挿通されて上面側に繰り出し可能にされ、紙バンド１の通し孔１１Ｂから繰り出されて第２の巻掛部１３Ｂに巻掛けられた他端１Ｂが枠体１０Ａの上面側から第２の係止孔１２Ｂに挿通されて下面側に繰り出し可能にされる。
【００４５】
梱包具１００によれば以下の作用効果を奏する。
(a)紙バンド１の表面に滑剤２が付された。従って、紙バンド１を留め具１０の通し孔１１と係止孔１２Ａ、１２Ｂに通して巻掛部１３Ａ、１３Ｂに巻掛け引っ張るときの摩擦抵抗が小さくなり、紙バンド１はたるみのない緊張状態で巻掛部１３Ａ、１３Ｂに隙間なく滑らかに巻掛けられ、紙バンド１と留め具１０による梱包物Ｐの締め付け作業性を向上できる。
【００４６】
梱包物Ｐを締め付け結束した紙バンド１は、枠体１０Ａの巻掛部１３Ａ、１３Ｂにおける通し孔１１の入口と出口のそれぞれに臨む縁部（上下面側各角エッジａ、ｂ）と、枠体１０Ａにおける係止孔１２Ａ、１２Ｂの出口に臨む縁部（下面側角エッジｃ）の各係止点に対し、隙間なく強い係止力で係止する。従って、紙バンド１の表面に滑剤２が付されていても、紙バンド１はそれら各係止点に非常に強く係止してゆるみを生ずることもない。
【００４７】
(b)留め具１０が枠体１０Ａの内部に通し孔１１と第１の係止孔１２Ａと第２の係止孔１２Ｂを孔加工するだけの単純な構造からなる。留め具１０は枠体１０Ａだけからなるものであり、強度的に紙製とすることも容易である。
【００４８】
(c)紙バンド１の一端１Ａを枠体１０Ａの通し孔１１と第１の係止孔１２Ａに順に挿通して留め具１０に係止し、紙バンド１の他端１Ｂを枠体１０Ａの通し孔１１と第２の係止孔１２Ｂに順に挿通して留め具１０に係止するだけで、梱包物Ｐの締め付け結束を完了できる。紙バンド１の係止作業性は非常に簡便である。
【００４９】
(d)梱包物Ｐの締め付け結束により紙バンド１の一端１Ａに作用する結束張力Ｔは、紙バンド１の一端１Ａが巻掛け係止される第１の巻掛部１３Ａにより担持される。紙バンド１の他端１Ｂに作用する結束張力Ｔは、紙バンド１の他端１Ｂが巻掛け係止される第２の巻掛部１３Ｂにより担持される。第１の巻掛部１３Ａと第２の巻掛部１３Ｂは枠体１０Ａに両持ち支持されるものであり、紙バンド１に作用する結束張力Ｔの担持能力は高く、留め具１０が保証できる紙バンド１の結束強度は高い。
【００５０】
(e)留め具１０は梱包物Ｐの結束を完了したとき、梱包物Ｐの上面に配置される。このとき、留め具１０の梱包物Ｐの上面に対する最大高さは、枠体１０Ａの板厚だけである。留め具１０の使用高さを小さくし、梱包物Ｐをコンパクトに結束できる。
【００５１】
(f)古新聞等を梱包した紙バンド１に手指を差し入れてこれを運搬するとき、紙バンド１が平帯状をなすから、該紙バンド１が手指に食い込みにくく、手指に痛みを与えにくい。
【００５２】
平帯状の紙バンド１は留め具１０の巻掛部１３Ａ、１３Ｂ等との接触面積が大きいものの、その表面の滑剤２の存在により上述(a)の摩擦抵抗を小さくし、梱包物Ｐの締め付け作業性を損なうことがない。
【００５３】
(g)留め具１０の通し孔１１は、紙バンド１の一端１Ａ挿通用の第１の通し孔１１Ａと他端１Ｂ挿通用の第２の通し孔１１Ｂの２個の通し孔１１Ａ、１１Ｂからなるものとすることもできるが、紙バンド１の両端挿通用として共用される唯１個の通し孔１１からなるものにすることにより、留め具１０の構造を一層単純化できる。
【００５４】
(h)留め具１０が単純な構造になるから、前述(a)の如くに紙製とすることができる。留め具１０の枠体１０Ａを厚紙からなるものとすることにより、留め具１０を再資源化できる。
【００５５】
(i)紙バンド１の表面に滑剤２が付されることにより、紙バンド１を留め具１０に通すときの摩擦抵抗を小さくし、紙バンド１と留め具１０による梱包物Ｐの締め付け作業性を向上できる。
【００５６】
以上、本考案の実施例を図面により詳述したが、本考案の具体的な構成はこの実施例に限られるものではなく、本考案の要旨を逸脱しない範囲の設計の変更等があっても本考案に含まれる。例えば、本発明の留め具は紙製に限らず、合成樹脂等からなるものでも良い。
【図面の簡単な説明】
【００５７】
【図１】図１は紙バンドの製作手順を示す模式図である。
【図２】図２は留め具を示す模式図である。
【図３】図３は留め具による紙バンドの締め付け結束方法を示す模式図である。
【図４】図４は留め具による紙バンドの結束解除方法を示す模式図である。
【図５】図５は留め具による紙バンドの締め付け結束方法の変形例を示す模式図である。
【図６】図６は留め具の変形例を示す模式図である。
【図７】図７は留め具の変形例を示す模式図である。
【符号の説明】
【００５８】
１  紙バンド
１Ａ  一端
１Ｂ  他端
２  滑剤
１０  留め具
１０Ａ  枠体
１１、１１Ａ、１１Ｂ  通し孔
１２Ａ  第１の係止孔
１２Ｂ  第２の係止孔
１３Ａ  第１の巻掛部
１３Ｂ  第２の巻掛部
１００  梱包具
Ｐ  梱包物
【図１】
0003141859.tif 000003
【図２】
0003141859.tif 000004
【図３】
0003141859.tif 000005
【図４】
0003141859.tif 000006
【図５】
0003141859.tif 000007
【図６】
0003141859.tif 000008
【図７】
0003141859.tif 000009